(57)【要約】【課題】通気孔を自動的に開閉して浸水を防ぎ、安定した通気が可能な浮遊型シェルタを提供する。【解決手段】本発明の浮遊型シェルタ１０は、換気用に備えた通気孔３１Ａを除く全体を密閉した状態で水に浮く。その通気孔３１Ａの外側開口３１Ｋは、下向きとなるように配置され、外側開口３１Ｋの下方には、水より比重が小さい材料で構成された浮動弁体３４が上下動可能に支持されている。この構成により、浮遊型シェルタ１０が一時的に沈んだときには、浮動弁体３４が水から浮力を受けて上昇して通気孔３１Ａの外側開口３１Ｋを自動的に閉塞し、浮遊型シェルタ１０が浮上すると、浮動弁体３４が自重により降下して、通気孔３１Ａの外側開口３１Ｋが自動的に開放される。【選択図】図９
2013001367.tif 000002
【特許請求の範囲】
【請求項１】
換気用に備えた通気孔を除く全体を密閉した状態で人を収容して水に浮くことが可能な浮遊型シェルタにおいて、
前記通気孔の外側開口を、前記浮遊型シェルタが静止して水に浮いたときの水面より上側位置で下向きとなるように配置し、
前記外側開口を開閉可能な浮動弁体を、水より比重が小さい材料で構成して、前記外側開口の下方に上下動可能に支持して備えたことを特徴とする浮遊型シェルタ。
【請求項２】
前記浮動弁体の下方には、前記浮遊型シェルタの上下が反転したときに、水没した前記浮動弁体を浮力に抗して前記外側開口側に押し下げ可能な弁体押さえが設けられたことを特徴とする請求項１に記載の浮遊型シェルタ。
【請求項３】
内側が前記通気孔となった通気パイプの一端部を前記浮遊型シェルタの上部壁に接続して前記浮遊型シェルタの内部に連通し、
前記通気パイプの他端部側の開口が前記外側開口として下方を向くように前記通気パイプを屈曲させかつその通気パイプの他端部に支持筒体を接続し、
前記支持筒体の内部に前記浮動弁体と前記弁体押さえとを直動可能に収容する共に、前記支持筒体の内外に空気及び水を通過可能な筒貫通孔を形成したことを特徴とする請求項２に記載の浮遊型シェルタ。
【請求項４】
前記弁体押さえを上方に向かって先細りになった形状とすることで、前記浮遊型シェルタが横に倒れたときに、前記弁体押さえが自重により前記浮動弁体側に傾いて前記浮動弁体を前記外側開口側へと押圧するように構成したことを特徴とする請求項３に記載の浮遊型シェルタ。
【請求項５】
前記浮遊型シェルタの内部領域の平断面が、下方に向かって徐々に小さくなるように構成したことを特徴とする請求項１乃至４の何れか１の請求項に記載の浮遊型シェルタ。
【請求項６】
前記浮遊型シェルタの外面の下端部又は下端寄り位置から突出して地面に当接し、前記浮遊型シェルタの下端部を前記地面から浮かせた状態に保持する複数の支持脚を備えたことを特徴とする請求項５に記載の浮遊型シェルタ。
【請求項７】
前記浮遊型シェルタの上面に配置されて人が出入り可能なメイン出入口と、
前記メイン出入口の開口縁に回動可能に連結されて前記メイン出入口を開閉可能な回動扉と、
前記回動扉を閉じた状態に内側から固定可能な閉塞保持機構と、
前記浮遊型シェルタの側面と底面とに配置された脱出口と、
前記脱出口を閉塞し、前記浮遊型シェルタの内部からボルト又はナットにて固定された閉塞蓋とを備えたことを特徴とする請求項１乃至６の何れか１の請求項に記載の浮遊型シェルタ。
【発明の詳細な説明】
【技術分野】
【０００１】
本発明は、換気用に備えた通気孔を除く全体を密閉した状態で人を収容して水に浮くことが可能な浮遊型シェルタに関し、特に、津波や洪水から避難するための浮遊型シェルタに関する。
【背景技術】
【０００２】
従来、この種の浮遊型シェルタとして、回動蓋付きの通気孔を上端部に備え、浮遊型シェルタの内部から通気孔内に通気管を押し込むことで回動蓋を突き上げるようにして押し開く構成のものが知られている（例えば、特許文献１参照）。
【先行技術文献】
【特許文献】
【０００３】
【特許文献１】特開２００４−３２２９３９号公報（段落［００２８］，図１）
【発明の概要】
【発明が解決しようとする課題】
【０００４】
しかしながら、上述した従来の浮遊型シェルタでは、人が逐一操作しなければ、通気孔が開閉されないので、例えば、通気孔が開いたままで、浮遊型シェルタが波に飲まれて一時的に沈んだ場合に、通気孔から大量に浸水するような事態が生じ得た。また、そのような事態を恐れ、通気孔を閉じた状態に維持して酸欠状態にもなり得た。
【０００５】
本発明は、上記事情に鑑みてなされたもので、通気孔を自動的に開閉して浸水を防ぎ、安定した通気が可能な浮遊型シェルタの提供を目的とする。
【課題を解決するための手段】
【０００６】
上記目的を達成するためになされた請求項１の発明に係る浮遊型シェルタは、換気用に備えた通気孔を除く全体を密閉した状態で人を収容して水に浮くことが可能な浮遊型シェルタにおいて、通気孔の外側開口を、浮遊型シェルタが静止して水に浮いたときの水面より上側位置で下向きとなるように配置し、外側開口を開閉可能な浮動弁体を、水より比重が小さい材料で構成して、外側開口の下方に上下動可能に支持して備えたところに特徴を有する。
【０００７】
請求項２の発明は、請求項１に記載の浮遊型シェルタにおいて、浮動弁体の下方には、浮遊型シェルタの上下が反転したときに、水没した浮動弁体を浮力に抗して外側開口側に押し下げ可能な弁体押さえが設けられたところに特徴を有する。
【０００８】
請求項３の発明は、請求項２に記載の浮遊型シェルタにおいて、内側が通気孔となった通気パイプの一端部を浮遊型シェルタの上部壁に接続して浮遊型シェルタの内部に連通し、通気パイプの他端部側の開口が外側開口として下方を向くように通気パイプを屈曲させかつその通気パイプの他端部に支持筒体を接続し、支持筒体の内部に浮動弁体と弁体押さえとを直動可能に収容する共に、支持筒体の内外に空気及び水を通過可能な筒貫通孔を形成したところに特徴を有する。
【０００９】
請求項４の発明は、請求項３に記載の浮遊型シェルタにおいて、弁体押さえを上方に向かって先細りになった形状とすることで、浮遊型シェルタが横に倒れたときに、弁体押さえが自重により浮動弁体側に傾いて浮動弁体を外側開口側へと押圧するように構成したところに特徴を有する。
【００１０】
請求項５の発明は、請求項１乃至４の何れか１の請求項に記載の浮遊型シェルタにおいて、浮遊型シェルタの内部領域の平断面が、下方に向かって徐々に小さくなるように構成したところに特徴を有する。
【００１１】
請求項６の発明は、請求項５に記載の浮遊型シェルタにおいて、浮遊型シェルタの外面の下端部又は下端寄り位置から突出して地面に当接し、浮遊型シェルタの下端部を地面から浮かせた状態に保持する複数の支持脚を備えたところに特徴を有する。
【００１２】
請求項７の発明は、請求項１乃至６の何れか１の請求項に記載の浮遊型シェルタにおいて、浮遊型シェルタの上面に配置されて人が出入り可能なメイン出入口と、メイン出入口の開口縁に回動可能に連結されてメイン出入口を開閉可能な回動扉と、回動扉を閉じた状態に内側から固定可能な閉塞保持機構と、浮遊型シェルタの側面と底面とに配置された脱出口と、脱出口を閉塞し、浮遊型シェルタの内部からボルト又はナットにて固定された閉塞蓋とを備えたところに特徴を有する。
【発明の効果】
【００１３】
［請求項１の発明］
請求項１の浮遊型シェルタでは、通気孔の外側開口が下向きになっているので、雨や波を上方から被っても、通気孔からの浸水が防がれる。また、通気孔の外側開口の下方には、水より比重が小さい浮動弁体が設けられているので、浮遊型シェルタが仮に一時的に沈んでも、浮動弁体が水から浮力を受けて上昇して通気孔の外側開口を自動的に閉塞する。そして、浮遊型シェルタが浮上したときには、浮動弁体が自重により降下して通気孔の外側開口が自動的に開放される。このように、本発明の浮遊型シェルタによれば、通気孔を自動的に開閉して浸水を防ぐことで、安定した通気が可能になる。
【００１４】
［請求項２の発明］
浮遊型シェルタの上下が反転して通気孔の外側開口が水面下に位置した場合、浮動弁体は通気孔の外側開口から離間する側に浮力を受けるが、請求項２の構成によれば、弁体押さえが、浮力に抗して浮動弁体を外側開口側に押し下げ、通気孔の外側開口が閉塞される。即ち、本発明によれば、浮遊型シェルタの上下が反転した場合の浸水も防がれる。
【００１５】
［請求項３の発明］
通気孔の外側開口を下向きに配置するためには、浮遊型シェルタの一部を側方に突出させるか或いは、陥没させて下向きの外面を設け、その下向きの外面を有する浮遊型シェルタの壁部に通気孔を貫通形成してもよいし、請求項３の発明のように、内側が通気孔となった通気パイプの一端部を浮遊型シェルタの上部壁に接続して浮遊型シェルタの内部に連通し、通気パイプの他端部側の開口が外側開口として下方を向くように通気パイプを屈曲させてもよい。そして、その通気パイプの他端部に接続した支持筒体の内部に浮動弁体と弁体押さえとを直動可能に収容すると共に、支持筒体の内外に空気及び水を通過可能な筒貫通孔を形成すれば、簡素な構造で、通気孔の外側開口を浮動弁体にて自動的に開閉することができる。
【００１６】
［請求項４の発明］
請求項４の構成によれば、弁体押さえが上方に向かって先細りの形状をなしているので、浮遊型シェルタが横に倒れたときに、弁体押さえが自重により浮動弁体側に傾いて浮動弁体を外側開口側へと押圧し、通気孔の外側開口を閉塞することができる。
【００１７】
［請求項５の発明］
請求項５の浮遊型シェルタは、その内部領域の平断面が、下方に向かって徐々に小さくなるように形成されているので、下方に向かうに従って水から受ける浮力が小さくなる。即ち、水に浮いた浮遊型シェルタの上下が反転し難くなり、浮遊姿勢が安定する。
【００１８】
［請求項６の発明］
請求項６の構成によれば、浮遊型シェルタを、地面や建物の屋上等に安定して載置することができる。
【００１９】
［請求項７の発明］
請求項７の浮遊型シェルタは、上面のメイン出入口以外に側面と底面とに脱出口を備えているので、水上から陸上に打ち上げられたときに、障害物によってメイン出入口の回動扉を開くことができなくても、内部から脱出口の閉塞蓋を外して、容易に外部に脱出することができる。
【図面の簡単な説明】
【００２０】
【図１】本発明の一実施形態に係る浮遊型シェルタの写真
【図２】浮遊型シェルタの平面図
【図３】浮遊型シェルタの側断面図
【図４】浮遊型シェルタの内部上面の写真
【図５】トグルクランパーの写真
【図６】浮遊型シェルタの内部の写真
【図７】浮遊型シェルタの通気弁機構の写真
【図８】浮遊型シェルタの通気弁機構の側断面図
【図９】浮遊型シェルタ全体が沈んだ状態における通気弁機構の側断面図
【図１０】浮遊型シェルタが傾いた状態における通気弁機構の側断面図
【図１１】浮遊型シェルタが反転した状態における通気弁機構の側断面図
【発明を実施するための形態】
【００２１】
以下、本発明の一実施形態を図１〜図１１に基づいて説明する。本実施形態の浮遊型シェルタ１０は、外観が例えば図１に示すように提灯又は南瓜に似た形状をなし、図３に示すように内部に複数の大人が座ることができる。
【００２２】
図２に示すように、浮遊型シェルタ１０の平面形状は、例えば正八角形になっていて、浮遊型シェルタ１０の側壁１０Ａは、平面形状である正八角形の各角部で縦に延びた稜線１０Ｒによって８つの縦割側壁１１に区画されている。また、それら８つの各縦割側壁１１は、１枚の板金を、図１に示すように横方向に延びた複数の折曲線１０Ｓで折り曲げた湾曲形状をなしている。そして、隣り合った縦割側壁１１，１１の側縁部同士が溶接されている。
【００２３】
縦割側壁１１のうち上下方向の略中央位置に配置された折曲線１０Ｓとその上隣の折曲線１０Ｓとの間は、他の隣り合った折曲線１０Ｓ，１０Ｓの間の領域に比べて、横幅及び縦幅が共に最も大きなメイン矩形領域１１Ｍになっている。また、メイン矩形領域１１Ｍは、略長方形になっているのに対し、メイン矩形領域１１Ｍより下側で隣り合った折曲線１０Ｓ，１０Ｓに挟まれた各領域は、下方に向かうに従って横幅が徐々に狭くなった台形状をなしている。一方、メイン矩形領域１１Ｍより上側で隣り合った折曲線１０Ｓ，１０Ｓに挟まれた各領域は、上方に向かうに横幅が徐々に狭くなった台形状をなしている。さらに、メイン矩形領域１１Ｍより上側の領域では、下側の領域に比べて、隣り合った折曲線１０Ｓ，１０Ｓの間の台形が急峻に幅狭になっていて、縦割側壁１１の下端部より上端部の方が縦割側壁１１が内側に大きく倒れている。これらにより、浮遊型シェルタ１０は、上部全体より下部全体の内部領域が狭く、浮遊型シェルタの内部領域の平断面が、下方に向かって徐々に小さくなるように構成されている。
【００２４】
図３に示すように、各縦割側壁１１の上端部と下端部は、共に内側に水平に折り曲げられている。また、浮遊型シェルタ１０の下面には、縦割側壁１１に囲まれた下面脱出口２０Ｋが備えられている。そして、その下面脱出口２０Ｋが、縦割側壁１１群の水平な下端部に固定された底面蓋２０（本発明の「閉塞蓋」に相当する）によって閉塞されている。具体的には、底面蓋２０は、縦割側壁１１より厚い第１底板２０Ａの上に第２底板２０Ｂを重ねてなる。そして、第１及び第２の底板２０Ａ，２０Ｂと縦割側壁１１群の下端部とを貫通した複数の貫通孔に下方からボルト２１Ｂが通され、浮遊型シェルタ１０内でそれら各ボルト２１Ｂの先端部にナット２１Ｎを締め付けて、底面蓋２０が下面脱出口２０Ｋを閉塞した状態に固定されている。また、各ボルト２１Ｂのヘッド部は、第１底板２０Ａに溶接されている。これにより、ボルト２１Ｂとナット２１Ｎとの連れ回りが防がれ、内部からナット２１Ｎを螺合操作して底面蓋２０を外し、下面脱出口２０Ｋから脱出することができる。
【００２５】
第２底板２０Ｂの上面中心部からは、センター支柱２１Ｐが起立している。センター支柱２１Ｐは、角筒体の上端面を平板で閉塞した形状をなして、第２底板２０Ｂに溶接さている。また、センター支柱２１Ｐには、側方に開放した図示しない側面開口が備えられ、その側面開口を通して内部に荷物を収容することができるようになっている。
【００２６】
縦割側壁１１群の水平な上端部には、上方から上部壁１２が重ねて溶接され、その上部壁１２にメイン出入口１３が貫通形成されている。具体的には、図２に示すように、上部壁１２は、全体が正八角形になっていて、その正八角形のうち連続して並んだ５辺全体の両端部間を直線で結んでなる六角形の回動扉１５が、上部壁１２の上に重ねられている。そして、メイン出入口１３は、回動扉１５より一回り小さい六角形をなし、回動扉１５によって閉塞されている。
【００２７】
回動扉１５は、上部壁１２の上に重ねられるアクリル製で透明な樹脂板１５Ｂと、その樹脂板１５Ｂの上面の外縁部に重ねられた板金製のフレーム１５Ａと、例えば、樹脂板１５Ｂの下面の外縁部に敷設された図示しないパッキンとからなる。そして、回動扉１５のうち前記した六角形の最長の辺に相当する縁部が、１対のヒンジ１５Ｈ，１５Ｈにて上部壁１２に回動可能に連結されている。これにより、回動扉１５を回動してメイン出入口１３を開閉することができる。
【００２８】
回動扉１５のうちヒンジ１５Ｈ，１５Ｈから離れた側の端部では、図４に示すように第１持ち手部１５Ｃが外側に突出すると共に、第２持ち手部１５Ｄが内側に突出している。また、図５に示すように、回動扉１５の内面のうち第２持ち手部１５Ｄの隣には、トグルクランパー１７（本発明の「閉塞保持機構」に相当する）が設けられている。そして、回動扉１５を閉じた状態でメイン出入口１３の縁部をトグルクランパー１７と回動扉１５の縁部との間で挟んで回動扉１５を閉塞状態に固定することができる。また、メイン出入口１３の開口縁と回動扉１５の外縁部とには、複数箇所に貫通孔１８Ｈ（図４参照）が形成され、それら貫通孔１８Ｈの同軸上には、フレーム１５Ａの上面に図２に示した複数のナット１８Ｎが溶接されている。そして、浮遊型シェルタ１０内からハンドル付きボルト１８Ｂ（図４参照）をナット１８Ｎに締め付けることで、回動扉１５を閉塞状態に強固に固定することができる。
【００２９】
図４に示すように、浮遊型シェルタ１０の内側上部には、手摺り１９が設けられている。手摺り１９は、正八角形の環状構造をなし、メイン出入口１３の開口縁に接続された複数の支柱１９Ａ（図４には、１つの支柱１９Ａのみが示されている）の下端部に固定されている。
【００３０】
図３に示すように、浮遊型シェルタ１０の内側面のうち下端寄り位置からは、内側に座板部２５が張り出している。そして、座板部２５の先端とセンター支柱２１Ｐとの間に足を配置して、座板部２５上に着座することができ、その着座状態で手摺り１９に手を掛けることで、体を浮遊型シェルタ１０に対して安定させることができる。
【００３１】
前記した縦割側壁１１群のうち１つおきに配置された４つの縦割側壁１１のメイン矩形領域１１Ｍには、それぞれ矩形の側面脱出口１６Ｋ（図３参照）が貫通形成され、その側面脱出口１６Ｋが側面蓋１６（本発明の「閉塞蓋」に相当する）によって閉塞されている。側面蓋１６は、アクリル板１６Ｂの外面外縁部に金属製のフレーム１６Ａを重ねて固定した構造になっていて、底面蓋２０と同様にボルト・ナットによって縦割側壁１１に固定されている。
【００３２】
即ち、側面蓋１６の外縁部には、フレーム１６Ａとアクリル板１６Ｂとを貫通する複数の貫通孔が形成され、それら貫通孔に通したボルトのヘッド部がフレーム１６Ａに溶接されている。そして、ボルトの螺子部がアクリル板１６Ｂの内面から突出し、側面脱出口１６Ｋの開口縁に形成された複数の貫通孔に通されて、ナット１６Ｎと螺合している。これにより、底面蓋２０と同様に、浮遊型シェルタ１０内でナット１６Ｎを操作して側面蓋１６を離脱させ、側面脱出口１６Ｋから脱出することができる。
【００３３】
浮遊型シェルタ１０の内面のうち、メイン矩形領域１１Ｍの下端部からメイン矩形領域１１Ｍより１つ上側の折曲線１０Ｓに亘る範囲には、側面脱出口１６Ｋを除く全体にシート状のクッション２４が貼り付けられている。また、図６に示すように、浮遊型シェルタ１０の内面のうち、クッション２４と座板部２５との間には、シートベルト２６が備えられている。シートベルト２６は、浮遊型シェルタ１０の内面の周方向に延びた環状になっていて、そのシートベルト２６の複数箇所が浮遊型シェルタ１０の内面におけるクッション２４寄り位置に固定され、隣り合った２つの固定箇所の間にバックル２６Ｂを備えている。そして、座板部２５に着座した人の胴体の前側にシートベルト２６を配置して、バックル２６Ｂでシートベルト２６を締めて、胴体を浮遊型シェルタ１０内に固定することができる。
【００３４】
図１に示すように、浮遊型シェルタ１０の外面のうち側面脱出口１６Ｋを備えた４つの縦割側壁１１の下端寄り位置からは、斜め外側下方に向かって支持脚２２が突出している。また、浮遊型シェルタ１０のうち回動扉１５が閉められた状態で、その回動扉１５の第１持ち手部１５Ｃが隣接配置される縦割側壁１１の外面には、複数の梯子構成突部２３が設けられている。各梯子構成突部２３は、門形構造をなして縦割側壁１１の外面に溶接されている。そして、梯子構成突部２３を利用することで浮遊型シェルタ１０の上面にまで容易に昇ることができるようになっている。
【００３５】
さて、図１に示すように、浮遊型シェルタ１０の上面には、通気弁機構３０が設けられている。図７に示すように、通気弁機構３０には、通気パイプ３１と支持筒体３２とが備えられ、その通気パイプ３１の一端部は、図８に示すように、上部壁１２に形成された貫通孔１２Ａに一端部が挿通された状態に溶接されている。そして、通気パイプ３１は、上部壁１２から真っ直ぐ上方に延び、途中で折り返されるように湾曲して、他端部が上部壁１２より上方で下方を向いて開放している。本実施形態では、この通気パイプ３１の内部が、本発明に係る通気孔３１Ａになっている。
【００３６】
支持筒体３２は、通気パイプ３１より内径及び外径が共に大きい円筒形状をなし、その支持筒体３２の上端部を閉塞する上面壁３２Ａの中心を通気パイプ３１の他端部が貫通した状態に溶接されている。支持筒体３２の下端面には底板３３（本発明の「底壁」に相当する）が溶接され、その底板３３が支持筒体３２から側方に張り出している。そして、底板３３が上部壁１２の上面にボルトにて固定されると共に、底板３３の外周面が上部壁１２に溶接されている。なお、図８〜図１１では、底板３３を上部壁１２に固定したボルトは省略されている。
【００３７】
支持筒体３２の側面には、複数の筒貫通孔３２Ｂが貫通形成され、筒貫通孔３２Ｂの内外に連通している。また、支持筒体３２の内部に位置した通気パイプ３１の開口は、本発明に係る通気孔３１Ａの外側開口３１Ｋに相当する。
【００３８】
支持筒体３２の内部には、外側開口３１Ｋを開閉するための浮動弁体３４と弁体押さえ３５とが上下に並べて収容されている。浮動弁体３４は、水より比重が小さい材料（例えば、木材、樹脂）で構成されかつ、外側開口３１Ｋより直径が大きな球体になっている。一方、弁体押さえ３５は、水より比重が大きい材料（例えば、鉄）で構成され、浮動弁体３４側に向かって縮径した円錐台形状をなしている。また、弁体押さえ３５は、浮遊型シェルタ１０の上下が反転したときに、水没した浮動弁体３４を浮力に抗して外側開口３１Ｋ側に押し下げ可能な重量を有している。そして、通常は、弁体押さえ３５の底面全体が底板３３上に当接すると共に、弁体押さえ３５の上面に浮動弁体３４が当接して、浮動弁体３４が外側開口３１Ｋの開口縁から離間している。これにより、通常は、支持筒体３２の筒貫通孔３２Ｂと通気パイプ３１内の通気孔３１Ａを通して、浮遊型シェルタ１０の内部と外部とが連通している。
【００３９】
本実施形態の浮遊型シェルタ１０の構成に関する説明は以上である。次に、浮遊型シェルタ１０の作用効果について説明する。本実施形態の浮遊型シェルタ１０は、例えば、津波や河川決壊等による洪水が到達し得るエリアの空き地、或いは、建物の屋上に載置して使用する。ここで、浮遊型シェルタ１０の内部には、例えば、非常用の無線機、懐中電灯や、側面蓋１６及び底面蓋２０を外すための工具等を常備しておくことが好ましい。また、浮遊型シェルタ１０内に雨水が入り込まないようにするために、回動扉１５を閉めておくことが好ましい。なお、浮遊型シェルタ１０は複数の支持脚２２を有して、地面等に載置した状態で安定するので、例えば、子供が浮遊型シェルタ１０に昇って横転するような事故の心配がない。
【００４０】
津波や洪水が発生した場合、回動扉１５を開いて、メイン出入口１３から浮遊型シェルタ１０内に乗り込む。そして、予め定められた定員以下の人が浮遊型シェルタ１０に乗り込んだ状態で回動扉１５を閉め、内部からトグルクランパー１７（図５参照）にて回動扉１５を閉塞状態に固定する。そして、図４に示すように、ハンドル付きボルト１８Ｂにて回動扉１５を更に強固に固定する。この状態では、浮遊型シェルタ１０の内部と外部とは、図８に示した通気孔３１Ａを通して連通しているので、浮遊型シェルタ１０内の酸欠状態になることはない。
【００４１】
さて、津波や洪水が浮遊型シェルタ１０に到達すると、浮遊型シェルタ１０が水に浮く。ここで、本実施形態の浮遊型シェルタ１０は、その内部領域の平断面が、下方に向かって徐々に小さくなるように形成されて下端部が受ける浮力が上端部に比べて小さい上に、下端部に支持脚２２及び底面蓋２０を有して重くなっているので、上下が反転し難く、浮遊姿勢が安定する。
【００４２】
さて、浮遊型シェルタ１０は、津波や洪水の激流に飲まれ、上方から波を被ることがある。しかしながら、本実施形態の浮遊型シェルタ１０が有する通気孔３１Ａの外側開口３１Ｋは、下方を向いているので、上方から波を被っても通気孔３１Ａの外側開口３１Ｋに水が入り込むことはない。また、通気孔３１Ａの外側開口３１Ｋの下方には、浮遊型シェルタ１０の上部壁１２及び浮動弁体３４が配置されているので、下方から迫り上がった波が、通気孔３１Ａの外側開口３１Ｋに入り込むこともない。
【００４３】
ここで、仮に、浮遊型シェルタ１０が激流に飲まれて図９に示すように一時的に沈んでも、浮動弁体３４が水から浮力を受けて上昇して通気孔３１Ａの外側開口３１Ｋを自動的に閉塞するので、通気孔３１Ａからの浸水は防がれる。また、図１１に示すように、万が一、浮遊型シェルタ１０の上下が反転して通気孔３１Ａの外側開口３１Ｋが一時的に水面下に位置し、浮動弁体３４が外側開口３１Ｋから離間する側に浮力を受けても、弁体押さえ３５が、浮力に抗して浮動弁体３４を外側開口３１Ｋ側に押し下げ、通気孔３１Ａの外側開口３１Ｋを閉塞するので、通気孔３１Ａからの浸水は防がれる。さらには、その弁体押さえ３５が上方に向かって先細りの形状をなしているので、図１０に示すように、浮遊型シェルタ１０が横に倒れたときに、弁体押さえ３５が自重により浮動弁体３４側に傾いて浮動弁体３４を外側開口３１Ｋ側へと押圧し、通気孔３１Ａの外側開口３１Ｋを閉塞する。これにより、浮遊型シェルタ１０が横転姿勢になって浮動弁体３４が支持筒体３２の軸方向に浮力を受けない状況でも、浮動弁体３４にて外側開口３１Ｋを閉じることができる。そして、浮遊型シェルタ１０が浮上しかつ支持脚２２を下方にした正規の姿勢になったときには、弁体押さえ３５及び浮動弁体３４が自重により降下して、図８に示すように通気孔３１Ａの外側開口３１Ｋが自動的に開放される。
【００４４】
このように、本実施形態の浮遊型シェルタ１０によれば、通気孔３１Ａを自動的に開閉して浸水を防ぐことで、安定した通気が可能になる。なお、浮遊型シェルタ１０は、上面のメイン出入口１３以外に側面脱出口１６Ｋと下面脱出口２０Ｋとを備えているので、水上から陸上に打ち上げられたときに、障害物によって回動扉１５を開くことができなくても、内部から底面蓋２０又は側面蓋１６を外して容易に脱出することができる。
【００４５】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００４６】
（１）通気孔３１Ａの外側開口３１Ｋを下方に向けて開放した構成とするために、浮遊型シェルタの一部を側方に突出させるか或いは、陥没させて下向きの外面を設け、その下向きの外面を有する浮遊型シェルタの壁部に通気孔を貫通形成してもよい。
【００４７】
（２）前記実施形態の浮遊型シェルタ１０は、鉄製であったが、樹脂製又は木製であってもよい。
【００４８】
（３）前記実施形態の浮遊型シェルタ１０の通気弁機構３０から弁体押さえ３５を排除して、浮動弁体３４のみを備えた構成にしてもよい。
【符号の説明】
【００４９】
１０    浮遊型シェルタ
１２    上部壁
１３    メイン出入口
１５    回動扉
１６    側面蓋（閉塞蓋）
１６Ｋ    側面脱出口
１７    トグルクランパー（閉塞保持機構）
２０    底面蓋（閉塞蓋）
２０Ｋ    下面脱出口
３１    通気パイプ
３１Ａ    通気孔
３１Ｋ    外側開口
３２    支持筒体
３２Ｂ    筒貫通孔
３４    浮動弁体
３５    弁体押さえ
【図２】
2013001367.tif 000003
【図３】
2013001367.tif 000004
【図８】
2013001367.tif 000005
【図９】
2013001367.tif 000006
【図１０】
2013001367.tif 000007
【図１１】
2013001367.tif 000008
【図１】
2013001367.tif 000009
【図４】
2013001367.tif 000010
【図５】
2013001367.tif 000011
【図６】
2013001367.tif 000012
【図７】
2013001367.tif 000013